(57)【要約】【課題】排水性能を確保しながらも、例えば断熱材の敷設を妨げないドレーン取付装置を提供する。【解決手段】排水管３に接続される筒部１１とフランジ部１２とを備えたドレーン本体１０を、屋根材に取り付けるドレーン取付装置２０は、前記屋根材に固定され、前記筒部１１を挿通させる円形開口２１ａを備えた板状のベース２１と、前記ベース２１上に取り付けられ、前記ドレーン本体１０が前記ベース２１から所定の高さに位置するように、前記フランジ部１２を支持するリング２２と、を有する。前記ベース２１は、前記円形開口２１ａの周囲に複数の凹部２１ｂを有し、各凹部２１ｂは切欠２１ｆを有し、前記切欠２１ｆに挿通されたボルトＢＴの締結により、前記ドレーン本体１０の前記フランジ部１２を前記ベース２１に固定可能である。【選択図】図１
2019199755.tif 000002
【特許請求の範囲】
【請求項１】
排水管に接続される筒部とフランジ部とを備えたドレーン本体を取り付けるドレーン取付装置であって、
前記筒部を挿通させる開口を備えた板状のベースと、
前記ベース上に取り付けられ、前記ドレーン本体が前記ベースから所定の高さに位置するように、前記フランジ部を支持する支持部と、を有し、
前記ベースは、前記開口の周囲に複数の凹部を有し、各凹部は切欠又は穴を有し、
前記切欠又は穴に挿通されたボルトの締結により、前記ドレーン本体が前記ベースに固定される、
ことを特徴とするドレーン取付装置。
【請求項２】
前記ベースが屋根材に固定され、前記ドレーン本体の筒部が前記排水管に接続される、
ことを特徴とする請求項１に記載のドレーン取付装置。
【請求項３】
前記支持部は金属製のリングである、
ことを特徴とする請求項１または２に記載のドレーン取付装置。
【請求項４】
前記支持部の高さは、前記支持部の周囲に配置される断熱材の厚みに応じて決められている、
ことを特徴とする請求項１〜３のいずれか一項に記載のドレーン取付装置。
【請求項５】
前記凹部は前記ベースと一体で形成されている、
ことを特徴とする請求項１〜４のいずれか一項に記載のドレーン取付装置。
【発明の詳細な説明】
【技術分野】
【０００１】
本発明は、ドレーン取付装置に関する。
【背景技術】
【０００２】
デッキプレート上に断熱材を敷設し、さらに該断熱材上にシート状の防水層を施すことにより屋根を構成するデッキプレート下地断熱屋根工法が知られている。この工法で形成される屋根には、通常、雨水排水用のルーフドレーンが設置される。
【０００３】
このようなルーフドレーンとしては、例えば特許文献1に示すものがある。かかる従来例のルーフドレーンにおいて、排水管に接続される管部の開口端の外周にフランジ部を有するドレーン本体と、このドレーン本体の上部に被着されるドレーンカバーと、ドレーン本体の取り付け装置とを具え、前記取り付け装置はフランジ部端縁に当接してこれを囲繞するとともにフランジ部の表面と連続面を形成する受け皿で構成している。
【先行技術文献】
【特許文献】
【０００４】
【特許文献１】特開２００７−２１１５３９号公報
【発明の概要】
【発明が解決しようとする課題】
【０００５】
特許文献1のルーフドレーンによれば、ドレーン周縁において、防水層表面を平滑に維持するとともに防水層を必要かつ充分なだけ下地に密接できるようにし、円滑適正な排水を実現して、ドレーン周りの防水性能の維持強化ならびに施工性の向上を図ることができる。
【０００６】
ところで、例えば内部の温度環境を厳密に管理したい冷凍・冷蔵倉庫などでは、倉庫内空調の効率を向上させるために、屋根の断熱性能をなるべく高めたいという要請がある。かかる要請に対し、ルーフドレーン自体を断熱材で覆うことは困難であるが、その周囲に断熱材を極力隙間なく敷き詰めることで、屋根の断熱性能を高めることができる。しかしながら、従来の構成では円滑適正な排水を優先するために、ルーフドレーンの周囲に断熱材を敷設することが困難であった。
【０００７】
本発明は、上記課題に鑑みて、排水性能を確保しながらも、例えば断熱材の敷設を妨げないドレーン取付装置を提供することを目的とする。
【課題を解決するための手段】
【０００８】
上記目的を達成するため、本発明のドレーン取付装置は、排水管に接続される筒部とフランジ部とを備えたドレーン本体を取り付けるドレーン取付装置であって、
前記筒部を挿通させる開口を備えた板状のベースと、
前記ベース上に取り付けられ、前記ドレーン本体が前記ベースから所定の高さに位置するように、前記フランジ部を支持する支持部と、を有し、
前記ベースは、前記開口の周囲に複数の凹部を有し、各凹部は切欠又は穴を有し、
前記切欠又は穴に挿通されたボルトの締結により、前記ドレーン本体が前記ベースに固定される、ことを特徴とする
【発明の効果】
【０００９】
本発明によれば、排水性能を確保しながらも、例えば断熱材の敷設を妨げないドレーン取付装置を提供することができる。
【図面の簡単な説明】
【００１０】
【図１】本実施形態のドレーン取付装置を屋根に取り付けた状態で示す断面図である。
【図２】本実施形態のドレーン取付装置にカバーを被せた状態で見た断面図である。
【図３】本実施形態のドレーン取付装置にカバーを被せた状態で見た上面図である。
【図４】カバーを取り外した状態で見た本実施形態のドレーン取付装置の上面図である。
【図５】ドレーン本体と本実施形態のドレーン取付装置とを分解した状態で示す斜視図である。
【図６】凹部２１ｂを拡大して示す斜視図である。
【図７】別の実施形態にかかる図１と同様な断面図である。
【発明を実施するための形態】
【００１１】
以下、図面を参照して本発明の実施の形態を説明する。図１は、本実施形態のドレーン取付装置を屋根に取り付けた状態で示す断面図である。図２は、本実施形態のドレーン取付装置にカバーを被せた状態で見た断面図である。図３は、本実施形態のドレーン取付装置にカバーを被せた状態で見た上面図である。図４は、カバーを取り外した状態で見た本実施形態のドレーン取付装置の上面図である。図５は、ドレーン本体と本実施形態のドレーン取付装置とを分解した状態で示す斜視図である。
【００１２】
図１に示すように、屋根材を構成するデッキプレート１に設けられた開口１ａに、ドレーン装置２が配置される。ドレーン装置２は、ドレーン本体１０と、ドレーン取付装置２０と、カバー３０とから構成される。
【００１３】
各図を参照して、まずドレーン取付装置２０について説明する。図４，５に示すように、ドレーン取付装置２０は、矩形板状のベース２１と、リング２２とを有する。たとえば亜鉛メッキ鋼又はＳＵＳ製のベース２１は、プレスまたはレーザ加工により形成できる。本実施形態では、ベース２１の外縁をプレスで打ち抜いた後、中心の円形開口２１ａをプレスで打ち抜く。その後に、円形開口２１ａの周囲に、１２０度間隔で３つの凹部２１ｂをプレス加工で形成する。さらに、ドリル等によりベース２１の周囲に沿って、ベースボルト穴２１ｇを形成する。
【００１４】
なお、本実施形態では、ベース２１をプレス成形することで、凹部２１ｂをベース２１と一体で形成しているが、凹部２１ｂを別部品として形成し、ボルトやリベットなどを用いてベース２１に取り付けてもよい。
【００１５】
図６は、凹部２１ｂを拡大して示す斜視図である。図６において、凹部２１ｂは、周方向に対向する側壁２１ｃ、２１ｃと、底壁２１ｄとを有する。側壁２１ｃ、２１ｃの上端はベース２１に連結され、側壁２１ｃ、２１ｃの下端は底壁２１ｄに連結されている。本実施形態では、図６で奥側に、側壁２１ｃ、２１ｃ及び底壁２１ｄの端部とベース２１により囲まれた開口（壁なし部位）ＯＰが形成されているが、ここを遮蔽するように奥壁を設けてもよい。さらに各側壁２１ｃは、複数段形状としてもよいし、あるいは上方に向かって開いた斜面としてもよく、それによりプレス加工の難易度を下げることができる。
【００１６】
底壁２１ｄは、円形開口２１ａの内縁から径方向外側に向かう切欠２１ｆを有している。切欠２１ｆの幅は、ボルトＢＴ（図５）のねじ径よりわずかに大きく形成されている。凹部２１ｂは、対応する金型（不図示）を用いてプレスにより一度に形成してもよいし、まず凹部２１ｂをプレス成形した後、切欠２１ｆをプレスで打ち抜いてもよい。更に、切欠２１ｆの代わりに穴（長穴を含む）を設けてもよい。
【００１７】
図４，５において、リング２２は、切り出し後の後処理が不要なＳＵＳ製の細長い板を丸めて端部同士を溶接することで短円筒状に形成されると好ましく、これによりリング２２の高さ（軸線方向長）を精度よく得ることができる。ただし、ドレーン本体１０を支持する支持部材としては、リングに限らず他の部材を用いてもよいし、また金属であればＳＵＳ以外の素材を用いてもよい。リング２２の高さは、後述する断熱材４の厚みに応じて適宜決定される。
【００１８】
このようにして形成されたベース２１に対してリング２２を、円形開口２１ａの周囲に溶接することにより、ドレーン取付装置２０が形成されることとなる。
【００１９】
図２、５を参照して、ドレーン本体１０について説明する。ドレーン本体１０は鋳造により製造され、更にその表面に樹脂塗装、水溶性合成樹脂焼付塗装、又は塩化ビニル被覆がなされる。ドレーン本体１０は、円管状の筒部１１と、筒部の上端から外方に延在する環状のフランジ部１２とを有する。フランジ部１２の下面に設けたボス部に、ボルト穴１２ａ（図２）が１２０度間隔で形成され、またフランジ部１２の上面に設けたボス部に、ボルト穴１２ｂ（図５）が１２０度間隔で形成されている。ドレーン本体１０は既存の製品を用いることができる。
【００２０】
ドレーン本体１０とドレーン取付装置２０との組み付けは、図５に示すように、ドレーン取付装置２０の上方から、ドレーン本体１０を接近させ、円形開口２１ａ内に筒部１１を挿通する。すると、図２に示すように、フランジ部１２の外縁下面がリング２２の上端に当接する。かかる状態で、図５に示すように、下方から３本のボルトＢＴを接近させ、そのねじ部を凹部２１ｂの切欠２１ｆに挿通して、ボルト穴１２ａに螺合させて締結する。これによりドレーン本体１０とドレーン取付装置２０との組み付けがなされる。ボルトＢＴを締結した後、ボルトＢＴの頭部を底壁２１dに溶接して緩み止めを行ってもよい。
【００２１】
本実施の形態によれば、凹部２１ｂを、金型を用いてプレス成形により精度よく形成しているので、図２における底壁２１ｄの上面から、ベース２１の下面までの深さｄを精度よく形成できる。また、上述したようにリング２２の高さｈを精度よく形成している。したがって、ベース２１の板厚をｔ（たとえば２ｍｍ以下）とすると、底壁２１ｄの上面からリング２２の上端までの長さΔを、（ｄ＋ｔ＋ｈ）として精度よく管理することができるから、ドレーン本体１０の組み付けを精度よく行うことができるとともに、敷設ばらつきを抑制できる。
【００２２】
次に、ドレーン装置２の組み付けについて説明する。以上のようにして組み付けられたドレーン本体１０とドレーン取付装置２０との組立体を、図１に示すように、ドレーン本体１０の筒部１１が開口１ａ内に挿入されるようにして設置する。すると、ベース２１が開口１ａ周囲のデッキプレート１の上面に当接するので、ベースボルト穴２１ｇ（図３）に不図示のボルトを挿通して、ドレーン取付装置２０をデッキプレート１に固定することができる。
【００２３】
その後、デッキプレート１の上面及びベース２１の上面にかけて、例えば硬質ウレタンフォームなどの断熱材４を敷設する。リング２２の高さｈ（図２）を、断熱材４の厚さに対しフランジ部１２の外縁厚み以上、低くすることによって、リング２２の外周に隣接して開口１aの周囲近傍まで断熱材４を敷設した場合に、雨水が断熱材4側からドレーン本体１０に向かって円滑に流れるようにすることができる。同時に、開口１aの周囲近傍まで断熱材４を敷設することで、断熱性能を高めることができる。
【００２４】
さらに、断熱材４の上面からドレーン本体１０のフランジ部１２の上面にかけて、厚さ１mm〜１５mmの防水層５を敷設する。防水層５としては、塩化ビニル製の防水層、アスファルト防水層、ウレタン防水層などがあるが、これに限られない。ここでデッキプレート１の上面とベース２１の上面との高さの差は、ベース２１の板厚ｔが１.２ｍｍ程度と比較的薄いので、両者に跨って断熱材４を設けても、断熱材４の上面はほぼフラットとなり、これに積層される防水層５の上面もフラットとなるから、排水が円滑に行われる。更に、ドレーン本体１０の筒部１１に、一点鎖線で示す排水管３を嵌合固定する。
【００２５】
本実施形態のドレーン取付装置２０においては、断熱材４の厚みに対応が可能であり、ドレーン本体１０と隣接する断熱材４の断面を擂鉢状に加工したり、ドレーン本体１０に隣接する断熱材４の厚みを屋根全体の断熱材の厚みと変えるなどの必要がなく、均一な厚さの断熱材４を容易に施工できる。
【００２６】
排水管３の高さ方向の位置は、デッキプレート１に対してあらかじめ決められているので、ドレーン本体１０の高さ方向の位置決めが重要になる。これに対し、本実施形態によれば、リング２２により、ドレーン本体１０のフランジ部１２がデッキプレート１の上面から適切な位置に支持され、更に適切な高さ位置に形成されたベース２１の凹部２１ｂを用いて、ドレーン本体１０を精度よく固定できる。したがって、ドレーン本体１０と排水管３との接続を容易に行うことができる。
【００２７】
最後に、ドレーン本体１０のフランジ部１２のボルト穴１２ｂ（図５）に、スタッドボルトＳＢを螺合させ、上方からカバー３０を被せた上で、スタッドボルトＳＢにナットＮＴを螺合させて締結することで、ドレーン装置２が完成する。
【００２８】
本実施形態によれば、防水層５のフラットな上面に落滴した雨水は、スムーズにドレーン本体１０のフランジ部１２へと流れるから、防水層５の上面に雨水がたまるなどの不具合を抑制できる。また、ドレーン本体１０の表面には塩化ビニル被覆がなされているので、フランジ部１２と防水層５とを融着させることができ、防水性能を高めることができる。ドレーン本体１０で収集された雨水は、排水管３を介して排水される。
【００２９】
図７は、別の実施形態にかかる図１と同様な断面図である。本実施形態では、ドレーン装置２自体は上述した実施形態と同様であるが、その敷設方法が異なる。より具体的には、屋根材の支持部材としての断面コ字状またはアングル状の鋼鉄梁６上に、ドレーン取付装置２０のベース２１を設置している。本実施形態では、断熱材４は硬質ウレタンフォームを鋼板でサンドイッチしたものであり、それ自体が剛性を有するため屋根材として用いることができる。断熱材４上に防水層５を敷設している。それ以外の構成は上述した実施の形態と同様であるため、説明を省略する。
【００３０】
なお、本発明は上記実施形態に限定されるものではなく、種々の改変を施すことができる。
【符号の説明】
【００３１】
１  デッキプレート
２  ドレーン装置
３  排水管
４  断熱材
５  防水層
６  鋼鉄梁
１０  ドレーン本体
１１  筒部
１２  フランジ部
２０  ドレーン取付装置
２１  ベース
２１ｂ  凹部
２１ｆ  切欠
２２  リング
ＢＴ  ボルト
【図１】
2019199755.tif 000003
【図２】
2019199755.tif 000004
【図３】
2019199755.tif 000005
【図４】
2019199755.tif 000006
【図５】
2019199755.tif 000007
【図６】
2019199755.tif 000008
【図７】
2019199755.tif 000009